(57)【要約】      （修正有）【課題】手にも足にも用いることができ、楽な姿勢で研磨部分を操作でき、操作中に研磨部位を視認でき、研磨部位に不快感を生じない、電動爪研磨機を提供する。【解決手段】本体とヘッド２０とを有する電動爪研磨機であって、上記ヘッドが、上記本体の幅方向に沿う回転軸を中心に回転する研磨ロール２０１を有する、電動爪研磨機。また、上記研磨ロールは、研磨対象の爪２の表側から裏側に向かって回転することができる。また、上記本体が長尺である、足爪専用の、電動爪研磨機である。上記研磨ロールを駆動する電動モーターを有する。【選択図】図２
0003234127.tif 000002
【実用新案登録請求の範囲】
【請求項１】
本体とヘッドとを有する電動爪研磨機であって、
上記ヘッドが、上記本体の幅方向に沿う回転軸を中心に回転する研磨ロールを有する、
電動爪研磨機。
【請求項２】
上記研磨ロールは、研磨対象の爪の表側から裏側に向かって回転することができる、
請求項１に記載の電動爪研磨機。
【請求項３】
上記本体が長尺である、足爪専用の、請求項１に記載の電動爪研磨機。
【請求項４】
上記研磨ロールを駆動する電動モーターを有する、
請求項１に記載の電動爪研磨機。
【請求項５】
使用者が自身の足の爪を、楽な姿勢で、かつ、爪が剥がされるような不快感を抱くことなく、研磨することができる、
請求項１に記載の電動爪研磨機。
【考案の詳細な説明】
【技術分野】
【０００１】
本考案は回転するロールによって爪を研磨することができる、電動の爪研磨機に関する。ここでいう「研磨」は表面を滑らかにする処理と削って形を整える処理との両方の意味を含む。
【背景技術】
【０００２】
手足の爪を切る・削る・削るための道具（いわゆる爪切り）は１０００年以上前から用いられている。日本では鋏式やニッパー式の爪切りの登場は約１００年前、現在最も普及しているクリッパー式爪切りの登場は約８０年前と言われている。これら爪切りで足の爪を切る動作は、上半身を前に傾ける、脚を折り曲げる、足を上半身に引き寄せる、といった動作・姿勢が容易ではない高齢者や障がい者にとって容易ではない。このため足先や手先を十分に視認せずに爪を挟むことによって皮膚を傷つける、思い通りの長さに爪を削れない、といった問題が頻発する。爪切り刃は変形あるいは硬化した爪の形や隙間に沿わないために、爪を切ること自体が難しいこともある。
利き手に関係なく左右の手の爪を簡単に短時間で磨くための道具として、電動爪研磨機が用いられている。今日では、持ち運びが簡単な電動爪研磨機が一般的である。このような携帯型の電動爪研磨機は、基本的には、電源スイッチ、電池、モーター、運動変換機構、研磨部からなり、その使用時には、モーターの駆動に連動して研磨部が高速で振動または回転する。使用者は、振動または回転する研磨部を爪表面に接触させて爪表面を磨く。
持ち運びが簡単な電動爪研磨機は例えば特許文献１に記載されている。これは電池式で、全体をいつでもどこにでも携帯できる。そしていずれも片手で把持した爪研磨機をもう一方の手指に接触させて使用することを主に想定している。特許文献１には足指の爪も研磨できることが一応は記載されているが、図面に表現された典型例では把持した手や柄で足爪やヘッドが隠れて研磨の様子を見難い、あるいは、手と足を近づけて無理な姿勢になるため長時間の爪研磨が苦痛である、といった問題点がある。このように、携帯用電動爪研磨機もまた、足爪研磨にとっては決して便利な道具とは言えない。
【０００３】
足爪研磨の問題点を解決しようと試みた足専用爪研磨機はこれまでにいくつか提案されている。特許文献２に記載された爪研磨機では、本体と電池収納部を切り離すことによって、足の爪と爪の狭い空間で爪研磨機が移動できるようにしている。しかしこの場合でも、小さい本体を手で把持して爪研磨機を移動する以上、把持した手や本体で足爪やヘッドが隠れて研磨の様子を見難い、あるいは、手と足を近づけて無理な姿勢になるため長時間の爪研磨が苦痛である、といった問題点は残る。
【０００４】
特許文献３には、足爪の研磨に便利なスリットや角部を研磨部分に設けることが記載されているが、図面に示された典型例では、研磨部分と本体の把持部分とが接近しているために手と足を近づけて無理な姿勢になるため長時間の爪研磨が苦痛である、といった問題点は解決されない。
【０００５】
特許文献４には、楽な姿勢で指先を傷付けずに足爪を削ったり磨いたりする爪研磨装置が記載されている。この爪研磨装置は足を支持板に載せ、足指の先を保護板で覆った状態で研磨機を足爪に接触させる。確かにこの爪研磨装置の使用時には足と手を近づけて辛い姿勢をとる必要がなく、研磨機と足指との接点がよく見える。しかしながら、このような爪研磨装置は大掛かりで持ち運びには全く適していない。また、このような爪研磨装置の操作自体が煩雑であるという問題点がある。
【０００６】
出願人は、これらの問題を解決するために、特許文献５で楽な姿勢で使用できる足専用爪削り機を提案した。この足専用爪削り機の本体は、手爪削り機には不必要な長さにまで延長できるため、使用者が楽な姿勢で研磨部を足の爪に接触することができる。この足専用爪削り機の研磨部は本体長手方向に沿って往復運動する。すなわち、行きの動きと帰りの動きとは正反対である。このため、例えば行きの動きは爪を上から押圧する向きで不快感はないが、帰りの動きは爪を指から押し上げる向きとなって、爪が剥がされるような不快感を生じる、という問題が生じる場合がある。したがって、特許文献５で提案した足専用爪削り機でも、さらに使用感を向上させる必要があった。
【先行技術文献】
【特許文献】
【０００７】
【特許文献１】特表２０１８−５２４０９４号公報
【特許文献２】特開２０１４−１８０４９３号公報
【特許文献３】国際公開ＷＯ２０１０／０６４３８０号パンフレット
【特許文献４】特開２００４−４３６号公報
【特許文献５】実用新案登録第３２２２６８８号公報
【考案の概要】
【考案が解決しようとする課題】
【０００８】
そこで本考案者は電動爪研磨機のさらなる改良を試みた。本考案者は、手にも足にも用いることができ、楽な姿勢で研磨部分を操作でき、操作中に研磨部位を視認でき、研磨部位に不快感を生じない、電動爪研磨機を求めた。
【課題を解決するための手段】
【０００９】
その結果、本考案者は、研磨部の運動機構を一新することによって上述の課題を解決することに成功した。すなわち本考案は以下のものである。
（考案１）本体とヘッドとを有する電動爪研磨機であって、上記ヘッドが、上記本体の幅方向に沿う回転軸を中心に回転する研磨ロールを有する、電動爪研磨機。
（考案２）上記研磨ロールは、研磨対象の爪の表側から裏側に向かって回転することができる、考案１の電動爪研磨機。
（考案３）上記本体が長尺である、足爪専用の、考案１の電動爪研磨機。
（考案４）上記研磨ロールを駆動する電動モーターを有する、考案１の電動爪研磨機。
（考案５）使用者が自身の足の爪を、楽な姿勢で、かつ、爪が剥がされるような不快感を抱くことなく、研磨することができる、考案１の電動爪研磨機。
【考案の効果】
【００１０】
本考案の電動爪研磨機の研磨部は、把持部の幅方向に沿う回転軸を中心に回転するロール状部材である。このような仕組みによって、手足の爪を表から裏に押圧する状態で研磨し続けることができる。このような研磨は、使用者に不快感を与え悪い。
【００１１】
本考案の電動爪研磨機を足爪に用いる場合でも、使用者は楽な姿勢で研磨部を視認しながら電動爪研磨機を操作することができる。
【００１２】
本考案の電動爪研磨機の研磨部の表面粗さや表面形状を調節することによって、研磨量を調節でき、爪表面の艶出しも可能となる。
【図面の簡単な説明】
【００１３】
【図１】本考案の電動爪研磨機の１例。
【図２】本考案の電動爪研磨機の１例を使用する様子。
【図３】本考案の電動爪研磨機の１例を使用する様子。
【考案を実施するための形態】
【００１４】
［電動爪研磨機］
本考案の電動爪研磨機は、本体と、研磨ロールが付属したヘッドとからなる。ここで「本体」は使用者が電動爪研磨機の稼働時には振動・運動しない部位であって、電動爪研磨機の稼働時に使用者が把持することができる部位を指す。「ヘッド」は、上記本体に連結する部位であって、ヘッドに設けられた研磨ロールが本考案の電動爪研磨機の稼働時に回転運動する。使用者が本考案の電動爪研磨機を持った状態で、上記ヘッドは上記本体の端部に接続しており、上記使用者に対して上記本体よりも遠い位置にある。使用者は本体を把持し動かすことによって、本体の先にあるヘッド、特に上記研磨ロールの位置を決める。
［本体］
本考案では上記本体の大きさや形状を操作性が損なわれない範囲で自由に変更することができる。本体の材質は、本体の操作性が損なわれない限り制限されない。一般的には主材料として比較的比重が小さく成形性に優れる汎用プラスチックが用いられる。印刷や蒸着などにより本体部分を加飾することもできる。
足指の爪を研磨する場合には長い、好ましくは最長の本体が適している。本体が長いと、使用者の把持部分と足指とが離れた状態であっても使用者がヘッドを足指に近づけることができる。使用者は無理な姿勢に苦しむことなく、本考案の電動爪研磨機を操作することができる。上記本体の寸法を長尺に固定して、本考案の電動爪研磨機を足専用品として設計することもできる。
本考案における「長尺」は、従来の爪研磨機の本体よりも格段に長いこと、具体的には、使用者が本体を把持したまま無理なくヘッドを削ろうとする足の爪に接触することができるような長さを意味する。本考案の「長尺」は、言い換えれば、従来の手足の爪研磨機で想定された長さを超える長さであり、専ら手指に適用することを想定していた従来の爪研磨機には必要とされていない長さである。この意味で本考案における「長尺の本体」は従来技術と本考案とを区別する特徴であり、「長尺」は本技術分野の周知技術に照らして明確な定義である。
【００１５】
使用者は本体を把持したまま研磨ロールを足の爪に接触させる。ヘッドがモーターで駆動されることによって研磨ロールが高速回転する。本考案では一定長の長尺の本体をヘッドと一体化してもよく、あるいは、長尺の本体の長さを調節可能としても良い。本考案の足専用爪研磨機は、本体の長さを調節できる態様を取り得る点でも画期的である。使用者が本体の長さを足の爪研磨に特化した「長尺」とすることによって、楽な姿勢で本体を把持したまま研磨ロールを足の爪に接触させることができる。
【００１６】
本考案では、手と足とで使い分けるために本体の寸法形状を調節可能としてもよい。本体の長さを調節する機構は、本体の強度や操作性、把持のし易さ、ある程度のデザイン性が確保できるものであれば制限されない。例えば、アタッチメント部材の接続又は取外し、入れ子部材の繰出または封入、スライド部材の移動などが用いられる。このような調節機構によって、考案の足専用爪研磨機を使用しない時には小型化すると、携帯や収納に便利である。
手指の爪を研磨する場合には短い、好ましくは最短の本体が適している。本体が短いと、使用者の把持部分が研磨する爪に近くなって、使用者はあたかも把持する手で爪を研磨する感覚で、研磨ロールの位置を微調整することができる。
上記本体の長さを最短状態から少なくとも５ｃｍ、概ね１０ｃｍ以上長くすると、足爪に適した長尺寸法の本体を実現することができる。使用者は、適当な姿勢（例えば、椅子に座って、あぐら、床に座り足を前に伸ばして）で延長後の長尺の本体を把持して、大きく前かがみになることなく足指にヘッドを近づけることができ、楽な姿勢でヘッドの位置を維持・移動することができる。ここで言う「最短状態」は、通常は、後述の研磨ロールを回転させるモーター、場合によって上記モーターを駆動する電池、関連する配線を内蔵する本体の長さを指す。
上記本体の外装体として、各種家電製品の外装体に使用できる材料を制限なく使用することができる。上記本体の成形方法も、家電製品に適用できる方法を制限なく利用することができる。上記本体には、把持を容易にするためのグリップ機構を付加することもできる。このようなグリップ機構としては、指を掛けるための凹部やくびれ、本体表面のエンボス加工、エラストマーやゴム等の柔軟材料からなるグリップ部などを用いることができる。
【００１７】
［ヘッド］
本考案の電動爪研磨機は、上記本体の幅方向に沿う回転軸を中心に回転する研磨ロールを有する。上記研磨ロールと上記回転軸は上記本体の幅方向に沿って上記ヘッドの先端部に差し渡されるように、配置される。
【００１８】
上記研磨ロールは、ロール形状の回転部材と、上記回転部材の外表面上に設けられたヤスリ層からなる。上記回転軸は、電動モーターによって運動する。上記電動モーターは外部電源または本体内部に収納された電池によって駆動される。上記電動モーターと上記研磨ロールとの間に介在するカム、回転軸などの運動機構、配線は、棒状部材の回転運動にとって公知の手段に従う。
【００１９】
上記ヘッドには、上記研磨ロールの外表面の一部を覆うカバー部が存在していてよい。上記ヘッドの表面の一部以上が開口することにより、上記研磨ロールの外表面の一部以上がヘッドの外部に開放或いは露出している。この研磨ロールの開放或いは露出部において、上記研磨ロールの表面が研磨対象の爪と接触する。
【００２０】
本考案では、上記本体を把持して上記ヘッドを研磨対象の爪に接触させた状態で、上記研磨ロールが上記爪の表から裏に押圧する向きに回転できるように、設計する。使用者の持ち替えや研磨対象の爪との位置関係に応じて、上記回転の方向を逆転できる設計とすることもできる。
【００２１】
研磨ロールの寸法は使用者が研磨対象となる爪に選択的に接触させて一定部位を研磨できる限り制限されない。上記研磨ロールの直径（太さ）は、一般的には、５ｍｍ以上３０ｍｍ以下、好ましくは１０ｍｍ以上２０ｍｍ以下である。上記研磨ロールの長さ（本体幅方向の寸法）は、一般的には２０ｍｍ以上１００ｍｍ以下、好ましくは３０ｍｍ以上６０ｍｍ以下である。
【００２２】
上記ヤスリ層の材質と表面粗さは、爪磨きに使用可能なものであれば制限されない。上記ヤスリ層を構成する砥材としてはガラス、各種セラミック、金属、木質材料などの天然材料などを用いることができる。上記ヤスリ層の表面粗さは適宜変更可能である。特に、ＪＩＳ  Ｂ  ００３１  および  ＪＩＳ  Ｂ  ０６０１  に定義された各種表面粗さが１０μｍ以上１００μｍ以下となるヤスリ層が好ましい。また、仕上がりと安全性の観点で、ヤスリ層の溝の間隔（山谷列のピッチ）は、一般的には０．５ｍｍ以上２．０ｍｍ以下、好ましくは１．０ｍｍ以上１．５ｍｍ以下とする。
本考案において研磨ロールにヤスリ層を形成する方法は限定されない。研磨ロールの本体の表面を粗面化けする、研磨剤からなる被覆材を研磨ロール本体の外表面に接着するなどのいずれの方法も採用することができる。
【００２３】
上記研磨ロールの回転速度は、適宜調節可能である。本体あるいはヘッド部に設けたスイッチを操作することによって上記回転速度を変動可能としてもよい。
【００２４】
上記本体と上記ヘッドを取り外し可能として、１台の電動爪研磨機にそれぞれ異なる研磨ロールを有する複数のヘッドを付属させてもよい。この場合、使用者が研磨部位や仕上がりの好みに応じてヘッドを取り替えることができる。
【００２５】
［付属品］
本考案の電動爪研磨機には、収納や携帯を容易とするためのケースや充電器、ケーブル類、電池、研磨ロールの掃除道具などを付属させることができる。
【実施例】
【００２６】
図面を参照させながら本考案の１例を説明する。図面は本考案の１例の概要を示す。本考案は図面に表示された構成に限定されない。図面には実物の寸法形状を表示しておらず細部は誇張あるいは省略されている。
【００２７】
図１に本考案の電動爪研磨機の１例を示す。電動爪研磨機（１）は足専用であり、長尺の本体（１０）とヘッド（２０）を有する。使用者は長尺の本体（１０）を足指に近づけて楽な姿勢で足爪を研磨することができる。本体（１０）の長さ方向の一方の端部（１０１）にヘッド（２０）が連結する。他方の端部（１０２）は端部（１０１）よりも細く、２つの端部（１０１，１０２）の間にはくびれ部分（１０３）がある。使用者はくびれ部分（１０３）で本体（１０）全体を安定して把持することができる。ヘッド（２０）において、研磨ロール（２０１）の一部がカバー（２０２）から露出している。本体（１０）には研磨ロール（２０１）の駆動スイッチ（３０）が配置されている。使用者は本体（１０）を握った状態でスイッチ（３０）を操作することができる。
【００２８】
図２に、電動爪研磨機（１）の使用時における、研磨ロール（２０１）と足爪（２）、足指（３）との関係を示す。図２には、図１の矢印に沿った面でヘッド（２０）を切った断面を示す。ヘッド（２０）の開口部（４）で、露出した研磨ロール（２０１）が足爪（２）に接触する。モーターを駆動させると、研磨ロール（２０１）を回転軸（２０３）の周りに矢印の向きに回転する。回転する研磨ロール（２０１）は足爪（２）を表から裏に向かって押圧しながら、足爪（２）を研磨することができる。研磨ロール（２０１）の回転方向がこの逆であると、足爪（２）は裏から表に向かって押圧する、すなわち足爪（２）を足指（３）から剥がそうとする向きに押されるため、不快感や痛みを生じることがある。このような研磨ロール（２０１）の回転方向は図２に示す位置にある足爪（２）にとっては好ましくない。
【００２９】
図３に、本体（１０）を持って自身の足爪（２）を研磨している使用者から研磨部（５）を見た様子を示す。紙面の手前から奥に向かって研磨ロール（２０１）が回転するので、足爪（２）は指の腹に向かって、すなわち矢印の向きに押圧される。使用者から研磨部（５）を視認することができ、安全性が確保される。
【産業上の利用可能性】
【００３０】
本考案の電動爪研磨機は、手足の爪を表から裏に向けて押圧する向きに回転する研磨ロールを備えることを特徴とする。この特徴により、本考案の電動爪研磨機の使用感が向上する。
【００３１】
本考案の電動爪研磨機は、さらに長尺の本体を備えることができる。この場合、本考案の電動爪研磨機は足専用の電動爪研磨機として機能し、使用者は、研磨ロールの回転による不快感を避けて、楽な姿勢で、研磨部を視認しながら安全に爪磨きをすることができる。
【００３２】
このように、本考案は、使用感と安全性がさらに改善された、足爪にも有効な電動爪研磨機を提供する。本考案によって生活家電市場により高品質の製品を供給することができる。
【符号の説明】
【００３３】
１  電動爪研磨機
１０  本体
１０１  本体の端部
１０２  本体の端部
２０  ヘッド
２０１  研磨ロール
２０２  カバー
２０３  回転軸
２  爪
３  指
４  ヘッドの開口部
５  研磨部
図２
【図１】
0003234127.tif 000003
【図２】
0003234127.tif 000004
【図３】
0003234127.tif 000005